(57)【要約】      （修正有）【課題】尿中の塩分濃度を精度よく簡便に測定することができる尿中塩分測定装置を提供する。【解決手段】一対の電極部１１ａ、１１ｂと、一対の電極部１１ａ、１１ｂの間の電気伝導率を測定する測定部１２とを有する尿中塩分測定装置１０において、一対の電極部１１ａ、１１ｂの間には、尿を保持する吸水部材による尿保持部１３が設けられている。【選択図】図２
0003203656.tif 000002
【実用新案登録請求の範囲】
【請求項１】
一対の電極部と、前記一対の電極部の間の尿の電気伝導率を測定する測定部とを有する尿中塩分測定装置において、
前記一対の電極部の間には、前記尿を保持する尿保持部が設けられていることを特徴とする尿中塩分測定装置。
【請求項２】
前記尿保持部は、尿を吸水しうる吸水部材により構成されていることを特徴とする請求項１記載の尿中塩分測定装置。
【請求項３】
前記一対の電極部を収容しうると共に尿を貯溜する尿貯溜部と、前記尿貯溜部に連設され、使用者が使用時に把持しうる把持部とを有していることを特徴とする請求項２記載の尿中塩分測定装置。
【請求項４】
前記一対の電極部は、断面略Ｕ字状に形成された第一電極板と、断面逆山字状に形成された第二電極板とにより構成され、前記第一電極板と前記第二電極板とは、互いに前記吸水部材を介して所定間隔離間して配設されていることを特徴とする請求項３記載の尿中塩分測定装置。
【請求項５】
前記尿貯溜部は、開口部を有する全体箱状に形成されていることを特徴とする請求項３記載の尿中塩分測定装置。
【考案の詳細な説明】
【技術分野】
【０００１】
本考案は、尿中の塩分濃度を測定する尿中塩分測定装置に関するものである。
【背景技術】
【０００２】
従来より、健康管理に関する個人の関心が高まっている。特に、疾病の早期発見と疾病治療中、或いは治療後の健康管理を目的とした自己による健康状態の把握が重要視されている。
自己の健康状態を把握する一つの方法として、尿の成分を分析するという方法がある。尿は個人の健康状態に関する重要な情報源であり、腎臓、肝臓、膵臓等の状態を把握することができる。
【０００３】
このような観点から、従来より、尿中の塩分を測定するための機器が提案されている。例えば、特許文献１には、便器のボール空間で尿を採取する採尿容器と、この採尿容器内に設けた一対の電極とを備え、前記採尿容器に採取された尿に前記電極を浸漬させ、電極間の電気伝導率を測定し、この電気伝導率に基づいて尿中に含まれる塩分濃度を測定することを特徴とする尿中塩分測定装置が開示されている。
また、特許文献２には、尿中の成分を計測する尿中成分測定部と、前記尿中成分測定部を手で把持するための把持部と、尿から尿中成分をセンシングするセンサー部と、前記センサー部からの電気信号を前記尿中成分測定部に伝えるための電極部と、前記センサー部及び前記電極部が設けられ、尿を貯める受け皿部と、前記受け皿部を前記尿中成分測定部に対して着脱自在に固定し、その際前記電極部と前記尿中成分測定部とを電気的に接続する固定部とを備えた、尿中成分測定装置が開示されている。
【０００４】
しかしながら、特許文献１に開示された技術にあっては、一晩中の尿を貯めることによって、塩分の総量を正確に測定する方法を採用しているため、その場で結果を知ることができないという不具合があった。また、特許文献１に開示された技術にあっては、装置が大型であって、携帯して測定することは困難であった。
また、特許文献２に開示された技術にあっては、受け皿部に傾斜部を設けることで、受け皿部の底面周辺に尿を集めることが可能となり、尿量が十分に確保できなかった場合でも、センサーの設置されている場所に適切な量の尿を接触させることができるという効果を奏する。
しかしながら、特許文献２に開示された技術にあっては、尿量が少なく、かつ、測定ごとに尿量が異なった場合に、電極板に触れる尿の量が変化してしまい、精度の良い測定ができないという不具合があった。
【０００５】
【特許文献１】特開２０００−８８８４５号公報
【特許文献２】特開２００６−６４３９６号公報
【考案の開示】
【考案が解決しようとする課題】
【０００６】
本考案は、以上のような従来からの不具合を解消するためのものであって、その課題は、尿中の塩分濃度を精度よく簡便に測定することができる尿中塩分測定装置を提供することにある。
【課題を解決するための手段】
【０００７】
前記課題を解決するために、請求項１に記載の考案にあっては、一対の電極部と、前記一対の電極部の間の尿の電気伝導率を測定する測定部とを有する尿中塩分測定装置において、前記一対の電極部の間には、前記尿を保持する尿保持部が設けられていることを特徴とする。
【０００８】
従って、前記尿保持部によって、前記一対の電極部の間に尿が保持され、前記測定部によって、前記一対の電極部の間の電気伝導率が測定される。
【０００９】
請求項２に記載の考案にあっては、前記尿保持部は、尿を吸水しうる吸水部材により構成されていることを特徴とする。
【００１０】
従って、尿が前記吸水部材に吸水され、前記一対の電極部の間に尿が保持される。
【００１１】
請求項３に記載の考案にあっては、前記一対の電極部を収容しうると共に尿を貯溜する尿貯溜部と、前記尿貯溜部に連設され、使用者が使用時に把持しうる把持部とを有していることを特徴とする。
【００１２】
従って、前記尿貯溜部に尿が貯溜された場合には、前記一対の電極部の間の前記吸水部材に尿が吸水される。
【００１３】
請求項４に記載の考案にあっては、前記一対の電極部は、断面略Ｕ字状に形成された第一電極板と、断面逆山字状に形成された第二電極板とにより構成され、前記第一電極板と前記第二電極板とは、互いに前記吸水部材を介して所定間隔離間して配設されていることを特徴とする。
【００１４】
請求項５に記載の考案にあっては、前記尿貯溜部は、開口部を有する全体箱状に形成されていることを特徴とする。
【考案の効果】
【００１５】
請求項１及び２に記載の尿中塩分測定装置にあっては、前記尿保持部によって、前記一対の電極部の間に尿が保持され、前記測定部によって、前記一対の電極部の間の電気伝導率が測定されるので、前記一対の電極部の間の尿の量を一定に保った状態で電気伝導率を測定することができる。
その結果、尿中の塩分濃度を精度よく簡便に測定することができる尿中塩分測定装置を提供することができる。
【００１６】
特に、請求項２に記載の尿中塩分測定装置にあっては、尿が前記吸水部材に吸水され、前記一対の電極部の間に尿が保持されるので、前記一対の電極部の間を確実に尿で満たすことができ、その結果、尿中の塩分濃度をより高い精度で測定することができる。
【００１７】
請求項３に記載の尿中塩分測定装置にあっては、前記尿貯溜部に尿が貯溜された場合には、前記一対の電極部の間の前記吸水部材に尿が吸水されるので、使用者が前記把持部を把持した状態で、前記尿貯溜部に尿を入れることができる。
その結果、採尿が容易であると共に、前記尿中の塩分濃度をより簡便に測定することができる。
【００１８】
請求項４に記載の尿中塩分測定装置にあっては、前記第一電極板と前記第二電極板とは、互いに前記吸水部材を介して所定間隔離間して配設されているので、前記第一電極板と前記第二電極板とが接触するといった事態を確実に防止することができると共に、前記一対の電極部の間を確実に尿で満たすことができる。
【００１９】
請求項５に記載の尿中塩分測定装置にあっては、前記尿貯溜部は、開口部を有する全体箱状に形成されているので、使用者が前記把持部を把持した状態で、前記尿貯溜部の前記開口部から尿を容易に入れ、貯溜させることができる。
【図面の簡単な説明】
【００２０】
【図１】図１は、本考案に係る尿中塩分測定装置の一実施の形態を示す斜視図である。
【図２】図２は、本考案に係る尿中塩分測定装置の一実施の形態を示すにおいて、電極部の断面構造を示した側面図である。
【図３】図３は、本考案に係る尿中塩分測定装置の一実施の形態を示す側面図である。
【考案を実施するための最良の形態】
【００２１】
以下、添付図面に示す実施の形態に基づき、本考案を詳細に説明する。
図１〜図３に示すように、本考案の一実施の形態に係る尿中塩分測定装置１０は、一対の電極部１１ａ、１１ｂと、一対の電極部１１ａ、１１ｂの間の尿の電気伝導率を測定する測定部１２とを有している。
また、図１及び図２に示すように、本実施の形態に係る一対の電極部１１ａ、１１ｂの間には、尿を保持する尿保持部１３が設けられている。本実施の形態に係る尿保持部１３は、尿を吸水しうるスポンジ１４により構成されている。
【００２２】
また、図１〜図３に示すように、本実施の形態に係る尿中塩分測定装置１０は、一対の電極部１１ａ、１１ｂを収容しうると共に尿を貯溜する尿貯溜部１５と、尿貯溜部１５に連結部１６を介して連設され、使用者が使用時に把持しうる把持部１７とを有している。
図１に示すように、本実施の形態に係る尿貯溜部１５は、全体箱状に形成され、上方に開口部１８を有している。
また、図１に示すように、本実施の形態に係る連結部１６は、全体薄板状に形成され、尿貯溜部１５の開口部１８の幅方向端部２０から上方に傾斜して配設されている。また、図１及び図２に示すように、連結部１６は、中央部に厚さ方向に沿って長方形状に貫通した穴部１９を有している。
図１〜図３に示すように、本実施の形態に係る把持部１７は、把持可能な大きさの箱状に形成され、底部の角部は円弧状に面取りされて形成されている。また、図１〜図３に示すように、把持部１７の幅方向端部２１には連結部１６が延設され、把持部１７の上面部には透明な合成樹脂製の窓部２２が設けられている。
図１〜図３に示すように、本実施の形態においては、尿貯溜部１５と連結部１６と把持部１７とは、合成樹脂により一体に成形されている。
【００２３】
また、図１〜図３に示すように、本実施の形態に係る測定部１２は、１０ｍＡまで測定可能な電流計により構成され、把持部１７の内部に防水状態で、かつ、把持部１７の上面部に設けられた窓部２２を通じて、測定した電流値が視認可能な状態で収納されている。
また、図示しないが、測定部１２と一対の電極部１１ａ、１１ｂとを接続する配線部は、連結部１６の内部に収納されている。
【００２４】
また、図１及び図２に示すように、本実施の形態に係る一対の電極部１１ａ、１１ｂは、銅製であって、断面略Ｕ字状に形成された第一電極板１１ａと、亜鉛製であって、断面逆山字状に形成された第二電極板１１ｂとにより構成され、第一電極板１１ａと第二電極板１１ｂとは、互いにスポンジ１４を介して所定間隔離間して配設されている。
図２に示すように、本実施の形態に係るスポンジ１４は、第一電極板１１ａと第二電極板１１ｂとの空隙を埋めるように断面略Ｍ字状に形成され、スポンジ１４の両端部２３、２３は尿貯溜部１５の内底面部２４に接するように配置されている。
【００２５】
本実施の形態にあっては、第一電極板１１ａから配線部を介して測定部１２へ、測定部１２から配線部を介して第二電極板１１ｂへ、夫々、接続され、第一電極板１１ａと第二電極板１１ｂとがスポンジ１４に吸水された尿を介して接続されることで、閉回路が構成される。
この際、銅製の第一電極板１１ａと亜鉛製の第二電極板１１ｂとの間に起電力（１．１Ｖ）が生じ、尿に電流が流れ、この電流値が測定部１２を構成する電流計によって測定されるように構成されている。
尿に流れる電流は、尿中の塩分濃度に比例して大きくなることから、本実施の形態に係る尿中塩分測定装置１０は、電流値によって尿中の塩分濃度を測定することができるように構成されている。
【００２６】
以下、本実施の形態に係る尿中塩分測定装置１０の作用について説明する。
図１〜図３に示すように、本実施の形態に係る尿中塩分測定装置１０を使用する際には、まず使用者が把持部１７を把持して、開口部１８から尿貯溜部１５に尿を入れる。
この際、図２に示すように、尿保持部１３を構成するスポンジ１４の両端部２３、２３が尿貯溜部１５の内底面部２４に接するように配置されているので、尿貯溜部１５に入れた尿がスポンジ１４に吸水され、一対の電極部１１ａ、１１ｂの間に尿が保持される。
【００２７】
その結果、第一電極板１１ａと、測定部１２と、第二電極板１１ｂとがスポンジ１４に吸水された尿を介して接続されることで、閉回路が構成される。
従って、銅製の第一電極板１１ａと亜鉛製の第二電極板１１ｂとの間に起電力（１．１Ｖ）が生じ、尿に電流が流れ、この電流値が測定部１２を構成する電流計によって測定される。
この際、尿に流れる電流は、尿中の塩分濃度に比例して大きくなることから、本実施の形態に係る尿中塩分測定装置１０は、電流値によって尿中の塩分濃度を測定することができる。
また、尿中の塩分濃度から１日の塩分摂取量を推定することもでき、例えば、測定された電流値が５ｍＡの場合、１日の塩分摂取量は１１．７ｇ／日に相当する。
本実施の形態に係る尿中塩分測定装置１０の測定精度を高めるには、他の尿中塩分測定装置によって測定した値と比較して校正すればよい。
【００２８】
以上より、図２に示すように、本実施の形態に係る尿中塩分測定装置１０にあっては、尿保持部１３を構成するスポンジ１４によって、一対の電極部１１ａ、１１ｂの間に尿が保持され、測定部１２によって、一対の電極部１１ａ、１１ｂの間の電気伝導率が測定されるので、一対の電極部１１ａ、１１ｂの間の尿の量を一定に保った状態で電気伝導率を測定することができる。
その結果、尿中の塩分濃度を精度よく簡便に測定することができる尿中塩分測定装置を提供することができる。
【００２９】
また、図２に示すように、尿貯溜部１５に尿が貯溜された場合には、尿保持部１３を構成するスポンジ１４の両端部２３、２３が尿貯溜部１５の内底面部２４に接するように配置されているので、尿貯溜部１５に入れた尿がスポンジ１４に吸水され、一対の電極部１１ａ、１１ｂの間に尿が保持される。
従って、一対の電極部１１ａ、１１ｂの間を容易かつ確実に尿で満たすことができ、その結果、尿中の塩分濃度をより高い精度で、簡便に測定することができる。
【００３０】
また、図２に示すように、本実施の形態に係る尿中塩分測定装置１０にあっては、第一電極板１１ａと第二電極板１１ｂとは、互いにスポンジ１４を介して所定間隔離間して配設されているので、第一電極板１１ａと第二電極板１１ｂとが接触するといった事態を確実に防止することができると共に、一対の電極部１１ａ、１１ｂの間を確実に尿で満たすことができる。
【００３１】
また、図１〜図３に示すように、本実施の形態に係る尿中塩分測定装置１０にあっては、尿貯溜部１５は、開口部１８を有する全体箱状に形成されているので、使用者が把持部１７を把持した状態で、尿貯溜部１５の開口部１８から尿を直接入れ、貯溜させることができる。その結果、採尿を容易に行なうことができる。
【００３２】
本実施の形態に係る電極部１１ａ、１１ｂは、銅製であって、断面略Ｕ字状に形成された第一電極板１１ａと、亜鉛製であって、断面逆山字状に形成された第二電極板１１ｂとにより構成されている場合を例に説明したが、前記構成に限定されず、起電力が生じるように２種類の異なる金属により構成されていればよく、また様々な形状の電極板を採用することができる。
また、本実施の形態に係る尿保持部１３は、スポンジ１４で構成されている場合を例に説明したが、前記構成に限定されず、例えば、タオル等の吸水部材他、尿を保持することができればよい。
【産業上の利用可能性】
【００３３】
本考案は、尿中塩分測定装置に広く適用可能であり、産業上利用可能性を有している。
【符号の説明】
【００３４】
１０：尿中塩分測定装置
１１ａ：電極部（第一電極板）
１１ｂ：電極部（第二電極板）
１２：測定部
１３：尿保持部
１４：スポンジ
１５：尿貯溜部
１６：連結部
１７：把持部
１８：開口部
１９：穴部
２０：開口部の幅方向端部
２１：把持部の上端部
２２：窓部
２３：スポンジの両端部
２４：尿貯溜部の内底面部
【図１】
0003203656.tif 000003
【図２】
0003203656.tif 000004
【図３】
0003203656.tif 000005